(57)【要約】【課題】充電式バッテリに対して着脱可能な給電ユニットケースの構造の小型化及び簡素化を図り、かつ充電式バッテリの単独での持ち運びも行い易い構造のポータブル電源装置を提供する。【解決手段】充電式バッテリ１と、外部への給電用出力部を有した給電ユニットケース２とを備え、給電ユニットケース２内に給電用の電子回路基板４が装備され、給電ユニットケース２に対して充電式バッテリ１が着脱可能に構成されているとともに、給電ユニットケース２と充電式バッテリ１とを連結固定する固定手段５が設けられ、かつ、充電式バッテリ１に運搬用の把手１２が設けられている。【選択図】図３
2014116109.tif 000002
【特許請求の範囲】
【請求項１】
充電式バッテリと、
外部への給電用出力部を有した給電ユニットケースとを備え、
前記給電ユニットケース内に給電用の電子回路基板が装備され、
前記給電ユニットケースに対して前記充電式バッテリが着脱可能に構成されているとともに、前記給電ユニットケースと前記充電式バッテリとを連結固定する固定手段が設けられ、かつ、前記充電式バッテリに運搬用の把手が設けられているポータブル電源装置。
【請求項２】
前記把手は、充電式バッテリと給電ユニットケースの横並び方向で、前記充電式バッテリの前記横並び方向での中央位置から外れて前記給電ユニットケース寄り箇所に配置されている請求項１記載のポータブル電源装置。
【請求項３】
前記固定手段は、前記給電ユニットケース側の部材で前記充電式バッテリの下端側と上端側とを挟み込み可能に構成されていて、その挟み込み状態で連結固定可能に構成されている請求項１又は２記載のポータブル電源装置。
【請求項４】
前記固定手段は、前記給電ユニットケースの底部側に、前記充電式バッテリの下部を上方側からの差し込み操作で載置可能な凹入載置部が設けられ、前記給電ユニットケースの上側に、前記充電式バッテリの上面側に接当して上方側への抜け出しを規制するロック部材が設けられることによって挟み込み可能に構成されている請求項３記載のポータブル電源装置。
【請求項５】
前記ロック部材は、前記給電ユニットケースの上面に沿ってスライド操作可能に構成され、前記給電ユニットケース側から平面視で前記充電式バッテリの上面に重複する位置と、その上面から外れた位置とに位置変更可能に構成されている請求項４記載のポータブル電源装置。
【請求項６】
前記充電式バッテリの下端側が載置される前記給電ユニットケースの凹入載置部には、その凹入載置部に差し込まれた充電式バッテリの底部側の出力端子に対して通電状態に接続される通電接続部を設けてある請求項４又は５記載のポータブル電源装置。
【請求項７】
前記給電ユニットケースの下部側に前記給電用出力部としての接続コードが設けられ、その接続コードの格納状態で、該接続コードの出力端子を覆う格納カバーが前記給電ユニットケースの上部側に設けられている請求項１〜６のいずれか一項記載のポータブル電源装置。
【発明の詳細な説明】
【技術分野】
【０００１】
本発明は、外部への給電用出力部を有した給電ユニットケースに対して着脱可能な充電式バッテリを備えたポータブル電源装置に関する。
【背景技術】
【０００２】
給電ユニットケースに対して充電式バッテリを着脱可能に構成したポータブル電源装置としては、給電用の出力部を備えた逆Ｌ字状の筺体（給電ユニットケースに相当する）に対して、ベルトを介して充電式バッテリを吊り下げ状態で連結可能に構成した構造のものが知られている。
この構造では、ベルトの付け外しで充電式バッテリを着脱でき、ベルトによる連結状態では、筺体の上部に設けた把手を用いて運搬できるように構成されている（特許文献１参照）。
【先行技術文献】
【特許文献】
【０００３】
【特許文献１】特開平７‐２７４５３３号公報（段落番号〔０００９〜００１２〕、図１，図２）
【発明の概要】
【発明が解決しようとする課題】
【０００４】
上記従来構造のものでは、給電ユニットケースであるところの筺体に対して、運搬用の把手、及び充電式バッテリを連結固定するためのベルトを設けて、ベルトの締め付け又は緩め作業によって充電式バッテリを着脱可能に構成してある。
このため、充電式バッテリと給電ユニットケースとを個別に取り扱うことができ、これらが一体に構成された構造のものに比べて、流通過程での便宜を図り得る点で有用なものである。
【０００５】
しかしながらこの構造では、給電ユニットケースに対して充電式バッテリをベルトで固定したり、ベルトを外したりする操作が煩わしく、着脱操作を簡便には行い難いものである。そして、給電ユニットケースは重い充電式バッテリも一緒に運搬可能であるように丈夫な運搬用の把手を備える必要があって、給電ユニットケース自体が比較的大型化し易いものである。
また、充電式バッテリを専用の充電装置にセットしたり、給電ユニットケースとは別の給電対象に対して接続する際には、その充電式バッテリを給電ユニットケースから取り外して単独で持ち運ぶことになるが、重い充電式バッテリが単独では持ち運び難い形状のものであり、扱い難いという問題があった。
【０００６】
本発明の目的は、充電式バッテリに対して着脱可能な給電ユニットケースの構造の小型化及び簡素化を図り、かつ充電式バッテリの単独での持ち運びも行い易い構造のポータブル電源装置を提供することにある。
【課題を解決するための手段】
【０００７】
上記目的を達成するために講じた本発明におけるポータブル電源装置の技術手段は、次の点に構成上の特徴、及び作用効果がある。
【０００８】
〔解決手段１〕
上記課題を解決するために講じた本発明の技術手段は、充電式バッテリと、外部への給電用出力部を有した給電ユニットケースとを備え、前記給電ユニットケース内に給電用の電子回路基板が装備され、前記給電ユニットケースに対して前記充電式バッテリが着脱可能に構成されているとともに、前記給電ユニットケースと前記充電式バッテリとを連結固定する固定手段が設けられ、かつ、前記充電式バッテリに運搬用の把手が設けられていることである。
【０００９】
〔解決手段１にかかる発明の作用及び効果〕
上記解決手段１にかかる発明によると、給電ユニットケースから取り外された充電式バッテリは、それ自体に運搬用の把手が設けられているので、充電の必要が生じた際や、別の給電対象に接続する際に、容易に持ち運びし易いという利点がある。
また、把手を備えた充電式バッテリと給電ユニットケースとが固定手段によって着脱可能に構成されているので、給電ユニットケースとしては把手を備えていない小型軽量なもので、かつ把手部分を一体に形成する必要もない構造の簡単な構成を採用し易い点でも有利である。
つまり、ポータブル電源装置を持ち運ぶ際に、把手は充電式バッテリに備えられているので、給電ユニットケースには重い充電式バッテリの重量が負荷されずに済む。したがって、給電ユニットケース自体は、把手部分を備えず、かつ重い充電式バッテリの重量を支持可能な頑丈な構造を必要としなくて済み、小型軽量化及び構造の簡素化を図り得るものである。
【００１０】
〔解決手段２〕
上記課題を解決するために講じた本発明の他の技術手段は、前記把手は、充電式バッテリと給電ユニットケースの横並び方向で、前記充電式バッテリの前記横並び方向での中央位置から外れて前記給電ユニットケース寄り箇所に配置されているということである。
【００１１】
〔解決手段２にかかる発明の作用及び効果〕
上記の解決手段２にかかる発明によると、充電式バッテリに形成される把手は、充電式バッテリの横並び方向での中央位置にではなく、給電ユニットケース寄りに偏って配置されている。
したがって、把手が充電式バッテリの横並び方向での中央位置に設けられている構造を採用した場合よりも、給電ユニットケースの重量が付加された状態でのポータブル電源装置を、重量バランスの良い状態で把持することができる利点がある。
【００１２】
〔解決手段３〕
上記課題を解決するために講じた本発明の他の技術手段は、前記固定手段は、前記給電ユニットケース側の部材で前記充電式バッテリの下端側と上端側とを挟み込み可能に構成されていて、その挟み込み状態で連結固定可能に構成されているということである。
【００１３】
〔解決手段３にかかる発明の作用及び効果〕
上記の解決手段３にかかる発明によると、給電ユニットケース側の部材で充電式バッテリの下端側と上端側とを挟み込み可能に構成された固定手段を用いて連結固定するものであるから、連結用のベルトの締め付けや緩めによって着脱可能にした構造に比べて、着脱操作を簡便に行い易いという利点がある。
【００１４】
〔解決手段４〕
上記課題を解決するために講じた本発明の他の技術手段は、前記固定手段は、前記給電ユニットケースの底部側に、前記充電式バッテリの下部を上方側からの差し込み操作で載置可能な凹入載置部が設けられ、前記給電ユニットケースの上側に、前記充電式バッテリの上面側に接当して上方側への抜け出しを規制するロック部材が設けられることによって挟み込み可能に構成されているということである。
【００１５】
〔解決手段４にかかる発明の作用及び効果〕
上記の解決手段４にかかる発明によると、充電式バッテリの下部は、給電ユニットケースの凹入載置部に対して上方からの差し込み操作で載置することによって下方側への移動が阻止され、充電式バッテリの上部は、充電式バッテリの上面側に接当するロック部材によって挟み込み可能に構成されているので、給電ユニットケースに対する充電式バッテリの着脱操作を簡便に行い易いという利点がある。
【００１６】
〔解決手段５〕
上記課題を解決するために講じた本発明の他の技術手段は、前記ロック部材は、前記給電ユニットケースの上面に沿ってスライド操作可能に構成され、前記給電ユニットケース側から平面視で前記充電式バッテリの上面に重複する位置と、その上面から外れた位置とに位置変更可能に構成されているということである。
【００１７】
〔解決手段５にかかる発明の作用及び効果〕
上記の解決手段５にかかる発明によると、ロック部材が給電ユニットケースの上面に沿ってスライド操作可能に構成されていて、そのスライド操作で充電式バッテリの上面に対する挟み込みの可否を変更できる。したがって、充電式バッテリの把手に近い位置でロック部材のスライド操作を片手で行うことも可能となり、より一層簡便な操作で、給電ユニットケースに対する充電式バッテリの着脱操作を行い易いという利点がある。
【００１８】
〔解決手段６〕
上記課題を解決するために講じた本発明の他の技術手段は、前記充電式バッテリの下端側が載置される前記給電ユニットケースの凹入載置部には、その凹入載置部に差し込まれた充電式バッテリの底部側の出力端子に対して通電状態に接続される通電接続部を設けてあるということである。
【００１９】
〔解決手段６にかかる発明の作用及び効果〕
上記の解決手段６にかかる発明によると、充電式バッテリの下端側が載置される給電ユニットケースの凹入載置部に通電接続部を設けてあり、給電ユニットケースに対する充電式バッテリの着脱操作を行うだけで、充電式バッテリと給電ユニットケースとの通電接続、及び接続解除を行うことできる。したがって、通電状態の接続及び解除操作の簡便化を図ることができる。
【００２０】
〔解決手段７〕
上記課題を解決するために講じた本発明の他の技術手段は、前記給電ユニットケースの下部側に前記給電用出力部としての接続コードが設けられ、その接続コードの格納状態で、該接続コードの出力端子を覆う格納カバーが前記給電ユニットケースの上部側に設けられているということである。
【００２１】
〔解決手段７にかかる発明の作用及び効果〕
上記の解決手段７にかかる発明によると、接続コードを備えて外部の給電対象機器に対する接続方向を自在に設定し易いものでありながら、接続を解除した格納時には、その接続コードの出力端子を、給電ユニットケースの上部で、格納カバーで覆うことができる。
したがって、接続コードを備えて便利に用いることのできるものでありながら、格納時には、接続コードが地面側の水たまりに触れたり、雨に濡れたりする虞の少ない状態で格納状態に維持し得る利点がある。
【図面の簡単な説明】
【００２２】
【図１】ポータブル電源装置における給電ユニットケースと充電式バッテリの着脱状態を示す斜視図である。
【図２】ポータブル電源装置の全体を示す平面図である。
【図３】ポータブル電源装置の全体を示し、給電ユニットケースを図２に示すIII-III線での断面で表した部分断面図である。
【図４】給電ユニットケースを示す平面図である。
【図５】給電ユニットケースを示し、図４に示すV-V線での断面図である。
【図６】給電ユニットケースにおける固定手段を示す斜視図である。
【図７】給電ユニットケースにおけるヒートシンクの取付構造を示す分解斜視図である。
【図８】充電式バッテリを耕耘作業機に接続した場合を示す部分断面図である。
【発明を実施するための形態】
【００２３】
以下、本発明の実施の形態の一例を図面の記載に基づいて説明する。
〔ポータブル電源装置の全体構成〕
図１乃至図３に示されるように、本発明のポータブル電源装置は、着脱自在な充電式バッテリ１と給電ユニットケース２との組み合わせで構成されている。
このように電力供給が可能な充電式バッテリ１と、外部への給電用出力部を有した給電ユニットケース２とを組み合わせることで一体化したポータブル電源装置は、一体化した状態で持ち運び可能であることにより、給電対象箇所の近くまで電源を移動させることができる。したがって、長い電源ケーブルなどを要さずに所望の給電対象箇所に対して電力供給を行える便利さがある。
【００２４】
このポータブル電源装置は、給電ユニットケース２が、筺状の給電制御機器内蔵部２０と、その給電制御機器内蔵部２０の横一側方へ延出された矩形鍋状の凹入載置部２１とを一体に備えて側面視でＬ字状に構成されている。そして前記凹入載置部２１に対して、直方体状の充電式バッテリ１の下半側が差し込まれる状態で載置可能に構成されている。
充電式バッテリ１の下半側が凹入載置部２１に差し込まれると、充電式バッテリ１は、給電制御機器内蔵部２０の横側部に横並び状態で位置し、この状態で給電ユニットケース２と電気的に通電し接続されるように構成してある。
このように電気的に接続された状態で充電式バッテリ１と給電ユニットケース２とが、後述する固定手段５により連結固定されて一体化された状態となり、この状態で持ち運びできるように構成されている。
【００２５】
〔充電式バッテリ〕
充電式バッテリ１は、図１乃至図３に示されるように、バッテリ本体１０の底部側に入出力部１１（充電式バッテリ１の出力用端子に相当する）を備えている。このバッテリ本体１０を、図３に示すように給電ユニットケース２の凹入載置部２１に載置することで、その凹入載置部２１に設けた通電接続部２２と電気的に接続されるように、バッテリ本体１０側の入出力部１１と、凹入載置部２１側の通電接続部２２との相対位置を設定してある。
尚、図示はしないが、バッテリ本体１０の底部側に設けた前記入出力部１１には、充電式バッテリ１を専用の充電用設備に対しても接続可能な入力用端子も備えており、充電式バッテリ１を外部からの電力供給によって充電可能に構成されている。
【００２６】
図１及び図３乃至図５に示すように、バッテリ本体１０の下半側の周壁１０ａ部分には、充電式バッテリ１が抜き差しされる上下方向に沿って三角溝条部１０ｂが形成されている。
この三角溝条部１０ｂは、給電ユニットケース２の凹入載置部２１の内周面２１ａ側に、充電式バッテリ１が抜き差しされる上下方向に沿って形成された三角突条部２１ｂと同形状に形成され、三角突条部２１ｂに係合して充電式バッテリ１の水平移動を規制しながら上下移動を案内するように構成されている。
【００２７】
また、この三角溝条部１０ｂ、及び前記三角突条部２１ｂは、図１及び図４に示すように、充電式バッテリ１のバッテリ本体１０と給電ユニットケース２の給電制御機器内蔵部２０との横並び方向で、給電制御機器内蔵部２０に近い側に位置する一対の三角溝条部１０ｂ，１０ｂ及び前記三角突条部２１ｂ，２１ｂの間隔Ｌ１が、給電制御機器内蔵部２０から遠い側に位置する一対の三角溝条部１０ｂ，１０ｂ及び前記三角突条部２１ｂ，２１ｂの間隔Ｌ２とは異なった間隔に形成されている。
ここでは、給電制御機器内蔵部２０に近い側に位置する一対の三角溝条部１０ｂ，１０ｂ及び前記三角突条部２１ｂ，２１ｂの間隔Ｌ１が、給電制御機器内蔵部２０から遠い側に位置する一対の三角溝条部１０ｂ，１０ｂ及び前記三角突条部２１ｂ，２１ｂの間隔Ｌ２よりも広く形成されている。
したがって、充電式バッテリ１を給電ユニットケース２の凹入載置部２１に差し込み操作する際に、充電式バッテリ１側の一対の三角溝条部１０ｂ，１０ｂの間隔Ｌ１（又はＬ２）と、給電ユニットケース２の凹入載置部２１における一対の三角突条部２１ｂ，２１ｂの間隔Ｌ１（又はＬ２）とが一致する状態としなければ差し込み挿入することができず、誤った向きで差し込まれるような不具合を避けられるように構成してある。
【００２８】
充電式バッテリ１のバッテリ本体１０の上部には、給電ユニットケース２の給電制御機器内蔵部２０に近い側の上面に、充電式バッテリ１の全体を持ち上げるための門形の把手１２が設けられている。
この把手１２は、充電式バッテリ１のバッテリ本体１０と給電ユニットケース２の給電制御機器内蔵部２０との横並び方向で、充電式バッテリ１の中央位置よりも給電制御機器内蔵部２０が存在する側に偏った位置に配設されている。
そして、この把手１２の中心位置からの垂線ＣＬは、後述するヒートシンク３を装着した状態での、給電ユニットケース２とヒートシンク３との前記横並び方向での幅Ｌ３の中央に近い位置にある。これにより、充電式バッテリ１を載置してポータブル電源装置の全体を持ち上げたとき、充電式バッテリ１と、給電ユニットケース２と、ヒートシンク３との全体の重心が、前記把手１２の中心位置からの垂線ＣＬの直下近傍に位置するように設定して、持ち上げ運搬時の重量がバランス良く保たれ易いように構成されている。
【００２９】
〔給電ユニットケース〕
給電ユニットケース２は、前述した筺状の給電制御機器内蔵部２０と、その横一側方へ延出された凹入載置部２１とを、合成樹脂製材料で一体成型することにより側面視でＬ字状を呈するように形成されている。
前記凹入載置部２１には、前述したように、バッテリ本体１０の底部側に設けられている入出力部１１に対して接続される通電接続部２２が、その底側上面２１ｃから上方に突出する状態で設けられている。
この底側上面２１ｃには、図４及び図５に示すように、凹入載置部２１の長手方向で前記通電接続部２２から離れた位置の両側に、水抜き孔２３が形成されている。そして水抜き孔２３の周辺で、前記通電接続部２２の存在箇所を避けた位置の底側上面２１ｃに、水抜き孔２３に近い側ほど低くなる傾斜案内面２１ｄを形成して、凹入載置部２１の底側上面２１ｃに水が溜まらずスムースに排出され易いように構成されている。
【００３０】
給電制御機器内蔵部２０は、図３に示すように、凹入載置部２１の一部を兼ねて充電式バッテリ１に相対向する中央側壁部２４と、その中央側壁部２４との間に所定間隔を隔てて相対向する外方側壁部２５を備えている。
外方側壁部２５には、電子回路基板４やヒートシンク３に対する取付板２６が取り付けてあり、この取付板２６を介して外方側壁部２５の内側に電子回路基板４が取り付けられている。また、外方側壁部２５の外側にはヒートシンク３が取り付けられている。
【００３１】
外方側壁部２５の下部には図３及び図７に示すように横長矩形の開口部２５Ａが形成されており、この開口部２５Ａに前記取付板２６の一部が望む状態で、外方側壁部２５に取付板２６が固定されている。
つまり、取付板２６は、図３に示すように上下方向の中間部でクランク状に屈曲形成され、外方側壁部２５の板厚と同程度、もしくはそれよりも少し大きい程度の僅かな段差を有した形状に形成されている。
そして、取付板２６のうち、内方側へ突出するように屈曲された上方側板部分２６Ａが前記開口部２５Ａの上側で外方側壁部２５の内方側に固定され、外方側へ突出するように屈曲された下方側板部分２６Ｂが開口部２５Ａに入り込んで、その下方側板部分２６Ｂの外向きの面が開口部２５Ａの周辺の外方側壁部２５の外面と面一になるように構成されている。
【００３２】
上記のように形成された取付板２６の内向きの面で上方側板部分２６Ａから下部取付板部分２６Ｂにわたって電子回路基板４が取り付けられている。
電子回路基板４は、凹入載置部２１に設けられた通電接続部２２と電気的に接続されており、充電式バッテリ１から導かれた直流電力を、この電子回路基板４に備えたインバータ回路（図示せず）などを介して１００ボルトの交流電力に変換して出力するように構成されている。
【００３３】
ヒートシンク３は、外方側壁部２５の下部に形成された開口部２５Ａよりも一回り大きな平板状の台板部３０と、その台板部３０に対してほぼ垂直に立設された多数の放熱板部３１とを備えて構成されている。
そして、平板状の台板部３０が開口部２５Ａの全体を閉塞するように覆う状態で、かつ取付板２６の下部側板部分２６Ｂの外向き面に対して接触する状態で、開口部２５Ａの周辺で外方側壁部２５に取り付けてある。したがって、取付板２６を介して伝達される給電ユニットケース２内の熱を、ヒートシンク３側へ効率よく伝達するように構成されている。
【００３４】
また、ヒートシンク３の台板部３０は、開口部２５Ａを閉塞するように、開口部２５Ａよりも一回り大きく形成されていて、その外周縁近くが外方側壁部２５の外面に対して適宜シール材（図示せず）を介してビス止めするなどして、水密状態に連結してあり、外部から雨水や地上の水たまりの水分が給電制御機器内蔵部２０内へ浸入することを抑制できるように構成されている。
さらにヒートシンク３の外側は合成樹脂製のヒートシンクカバー３２で覆われており、ヒートシンク３が他物に直接接触することを回避できるように構成されている。このヒートシンクカバー３２は、ヒートシンク３とは別の位置で外方側壁部２５にビス止めして着脱可能に固定されている。
【００３５】
図３に示すように、給電ユニットケース２の給電制御機器内蔵部２０の内部では、凹入載置部２１の一部を兼ねる中央側壁部２４と給電ユニットケース２の給電制御機器内蔵部２０と外方側壁部２５に沿って上下方向に配設されている前記電子回路基板４との間に、かなり大きな断熱用空間Ｓを形成してある。
この断熱用空間Ｓは、共に発熱源となる充電式バッテリ１と電子回路基板４とが、互いに近接して配設されることによる放熱性能の劣化を回避し得るように設けられたものであり、電子回路基板４を中央側壁部２４寄りにではなく、外方側壁部２５寄りに設けることによって、電子回路基板４と充電式バッテリ１との離間距離をできるだけ大きく確保できるように構成されている。
そして、外方側壁部２５寄りに設けられた電子回路基板４は、その取付板２６が外方側壁部２５に形成された開口部２５Ａを介して外部のヒートシンク３と間で熱伝導可能な状態で配設されているので、より一層効果的な放熱が行われる状態で設けられている。
【００３６】
電子回路基板４に備えたインバータ回路で１００ボルトの交流電力に変換された電力は、図１及び図５に示すように、給電制御機器内蔵部２０の横側面２０ａの下部に設けた給電用出力部としての可撓性を有した接続コード２７を介して、給電ユニットケース２の下部から外部へ導出可能に構成されている。
この接続コード２７の遊端側には、給電対象機器（図示せず）側の入力用端子（図示せず）に対する出力端子２７ａが設けられており、この出力端子２７ａを格納状態に位置固定する格納カバー２８が給電ユニットケース２の横側面２０ａの上部側に設けられている。
【００３７】
したがって、ポータブル電源装置から給電対象機器へ交流電力を供給する場合は、図１に実線で示すように接続コード２７の出力端子２７ａを格納カバー２８に格納された位置から外し、その出力端子２７ａに給電対象機器の入力用端子に接続して電力供給する。
給電対象機器への電力供給を行わない場合は、接続コード２７の出力端子２７ａを図５に実線で示すように、格納カバー２８に格納した状態とする。この状態では、接続コード２７の出力端子２７ａが高い位置にあり、かつ格納カバー２８で覆われているので、雨水や、地上の水たまりの水などに触れることを避けられ、また持ち運びの際にも邪魔になりにくい状態に維持できる。
【００３８】
接続コード２７の出力端子２７ａを格納カバー２８に格納した状態は、図７に示すように、給電制御機器内蔵部２０の横側面２０ａに形成されたリブ片２０ｂと、これに対向する格納カバー２８の対向側板２８ａの内面側に形成されたリブ片２８ｂとの間に、合成樹脂製材料で構成された出力端子２７ａが自身の持つ弾性で弾性的に挟み込まれることによって、格納カバー２８に格納された状態に維持される。
そして、格納状態に位置する出力端子２７ａを、図１及び図７に仮想線で示すように格納カバー２８に格納された状態から同図に実線で示すように取り外すには、次のようにする。つまり、格納カバー２８には、前記対向側板２８ａと、その対向側板２８ａの充電式バッテリ１側寄りの端縁から給電制御機器内蔵部２０の横側面２０ａ側に折り曲げられた前側板２８ｃとにわたって切り欠き部２８ｄを形成してあり、この切り欠き部２８ｄに手指を挿入するなどして、格納カバー２８に格納された位置の出力端子２７ａを押し出し、同図に実線で示されるように取り外された状態とする。
【００３９】
給電ユニットケース２からの接続コード２７の取り出し箇所と、その上方の格納カバー２８との間における給電ユニットケース２の横側壁箇所には、入り切り操作可能な電源スイッチ２９が設けられている。この電源スイッチ２９は、「切り」状態で接続コード２７から給電対象機器への電力供給を断ち、「入り」状態に操作することで、給電対象機器への電力供給を行えるようにするためのものである。
【００４０】
〔固定手段〕
給電ユニットケース２と充電式バッテリ１とは、次のような固定手段５により、互いに連結固定された状態と、その連結固定が解除された状態とに切換可能に構成されている。
上記固定手段５は、図１及び図３乃至図６に示されるように、充電式バッテリ１の下部を上方側から差し込み可能な凹入載置部２１を給電ユニットケース２に備え、その給電ユニットケース２の給電制御機器内蔵部２０の上部に、平面視で充電式バッテリ１の上側に重なる位置と充電式バッテリ１の上側から外れた位置とに位置変更可能なロック部材５０を備えて構成されている。
【００４１】
すなわち、充電式バッテリ１の下部を上方側から差し込み可能な凹入載置部２１は、充電式バッテリ１の下方側への移行、及び水平方向で給電ユニットケース２の給電制御機器内蔵部２０から離れる側への移行を制限する役割を担っている。
そして、ロック部材５０は、充電式バッテリ１が凹入載置部２１から上方側へ抜け出すことを阻止する役割を果たし、これらのロック部材５０及び凹入載置部２１によって、充電式バッテリ１を上下で挟み込んだ状態に連結固定可能に構成されている。
【００４２】
ロック部材５０は、給電制御機器内蔵部２０の上部に設けた両側のガイド突起５１，５１に案内されて、充電式バッテリ１が存在する凹入載置部２１の上方側空間に対して遠近移動するように構成されている。
このロック部材５０は、給電制御機器内蔵部２０の上部に設けたバネ板５２の付勢作用によって、下方側から上方側への付勢力を受けた状態で前記ガイド突起５１，５１に案内されながらスライド移動するように構成されている。
【００４３】
また、ロック部材５０の下面側には、図３及び図６に示すようにラッチ用突起部５０ａが設けてあり、ロック部材５０のスライド移動に伴って、ラッチ用突起部５０ａがバネ板５２の頂部を乗り越えてバネ板５２の接触箇所の前後に移動する。したがって、図３及び図６に実線で示されるように、ラッチ用突起部５０ａがバネ板５２の頂部を乗り越えて充電式バッテリ１側に移動していると、ロック部材５０の先端側が平面視で充電式バッテリ１の上面に重合する位置にある。
図３に仮想線で示されるように、ラッチ用突起部５０ａがバネ板５２の頂部を乗り越えて充電式バッテリ１から離れる側に移動すると、ロック部材５０の先端側も平面視で充電式バッテリ１の上面に重合する位置から外れて、図１に実線で示すように、充電式バッテリ１の凹入載置部２１からの抜き出しが可能になり、給電ユニットケース２と充電式バッテリ１との分離が可能となる。
【００４４】
〔その他〕
本発明で用いられる充電式バッテリ１は、給電ユニットケース２に載置して、給電ユニットケース２の給電用出力部としての接続コード２７に、給電対象機器として、例えば草刈り機や吸水ポンプ等の各種動力機器を接続したり、照明器具や調理器具、あるいは、音響機器やパソコンや通信機器を接続するなど、各種の用途に用いることができる。
また、充電式バッテリ１自体は、給電ユニットケース２に載置していない状態で、例えば、図８に示すように、耕耘機６の駆動用モータ６０に対する電力供給用の電源として用いることのできるものである。この場合、耕耘機６には前記給電ユニットケース２の凹入載置部２１と同様な構造のバッテリ装填部６１が設けられている。このとき、充電式バッテリ１の把手１２がバッテリ本体１０と給電ユニットケース２の給電制御機器内蔵部２０との横並び方向で、充電式バッテリ１の中央位置よりも給電制御機器内蔵部２０が存在する側に偏った位置に配設されているので、充電式バッテリ１を図８に示すような傾いた姿勢に操作し易く、バッテリ装填部６１に対する挿抜操作を行い易いものである。
したがって、上記構造の充電式バッテリ１は、ポータブル電源装置の電力供給源として用いることの他、上記構造の耕耘機６に対する動力源として用いることもできる。
【００４５】
〔別実施形態の１〕
上記の実施形態では、固定手段５として、充電式バッテリ１の下部を上方側から差し込み可能な凹入載置部２１とスライド操作可能なロック部材５０とを用いたものであるが、このような構造に限られるものではない。
例えば、図示はしないが、充電式バッテリ１側に適宜係合部を設け、給電ユニットケース２側に揺動して姿勢切換可能なフック部材を設けて、そのフック部材を充電式バッテリ１の係合部に係脱させることで、連結固定状態と、固定解除状態とに切り換えられるように構成してもよい。
【００４６】
また、上述のスライド操作可能なロック部材５０を充電式バッテリ１側に設け、給電ユニットケース２側にそのロック部材５０に対する係合箇所を設けて連結固定されるように構成してもよい。
同様に、充電式バッテリ１側に揺動して姿勢切換可能なフック部材を設けて、そのフック部材と係合する係合箇所を給電ユニットケース２側に設けて連結固定されるように構成してもよい。
その他の構成は、前述した実施形態と同様の構成を採用すればよい。
【００４７】
〔別実施形態の２〕
上記の実施形態では、充電式バッテリ１の入出力部１１をバッテリ本体１０の底面側に設け、給電ユニットケース２の通電接続部２２を凹入載置部２１の底側上面２１ｃに設けた構造のものを例示したが、これに限られるものではない。
例えば、充電式バッテリ１の入出力部１１をバッテリ本体１０の横側面側に設け、給電ユニットケース２の通電接続部２２をバッテリ本体１０の横側面側に対向する位置に設けてもよい。この場合、給電ユニットケース２に対する充電式バッテリ１の搭載方向を上下方向ではなく水平横方向となるように構成するとよい。
その他の構成は、前述した実施形態と同様の構成を採用すればよい。
【００４８】
〔別実施形態の３〕
上記の実施形態では、ヒートシンク３を給電ユニットケース２の外方側壁部２５の下部に形成された開口部２５Ａの周辺にビス止めするなどして連結した構造のものを示したが、これに限られるものではない。
例えば、外方側壁部２５に電子回路基板４を取り付けるための取付板２６に対して、直接に、あるいは適宜熱伝導部材を介してヒートシンク３を取り付けるように構成してもよい。
その他の構成は、前述した実施形態と同様の構成を採用すればよい。
【００４９】
〔別実施形態の４〕
上記の実施形態では、給電ユニットケース２内に設けた電子回路基板４に、インバータ回路などを用いた給電用の電子回路を設けた構造のものを例示したが、これに限られるものではない。
例えば、図示しないが電子回路基板４に充電用の電子回路を設けるようにしてもよい。
【００５０】
〔別実施形態の５〕
上記の実施形態では、給電ユニットケース２からの給電用出力部として、給電制御機器内蔵部２０の横側部から導出された可撓性を有した接続コード２７を設けた構造のものを例示したが、これに限られるものではない。
例えば、図示しないが給電制御機器内蔵部２０の上部に出力用のコネクタを設けて、給電対象機器の入力用端子を差し込み可能に構成したり、給電制御機器内蔵部２０の上部から接続コード２７を延出したり、あるいは給電ユニットケース２内に巻き取り可能な伸縮コードを設けるなど、各種の構造を採用可能である。
その他の構成は、前述した実施形態と同様の構成を採用すればよい。
【産業上の利用可能性】
【００５１】
本発明は、電源設備のない野外等へ持ち運び可能なポータブル電源装置として多目的に用いることができるものである。また、予備の電源、及び非常用の電源としても用いることができる。
【符号の説明】
【００５２】
１            充電式バッテリ
２            給電ユニットケース
４            電子回路基板
５            固定手段
１１          出力端子
１２          把手
２１          凹入載置部
２２          通電接続部
２７          接続コード
２７ａ        出力端子
２８          格納カバー
５０          ロック部材
【図１】
2014116109.tif 000003
【図２】
2014116109.tif 000004
【図３】
2014116109.tif 000005
【図４】
2014116109.tif 000006
【図５】
2014116109.tif 000007
【図６】
2014116109.tif 000008
【図７】
2014116109.tif 000009
【図８】
2014116109.tif 000010